【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
前記遊技機に配設される可動体と、
前記可動体を移動案内する案内手段と、
前記可動体を前記案内手段の案内方向に駆動する駆動手段と、
を備え、
前記案内手段は、互いに平行に設けられる複数の案内部を有し、
前記可動体は、前記複数の案内部それぞれに案内される複数の被案内部を有し、
前記複数の被案内部のうち少なくとも一の被案内部は、前記複数の案内部による案内方向に対し直交する方向に相対移動可能に案内される
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００８
【補正方法】変更
【補正の内容】
【０００８】
前記課題を解決するために、本発明の請求項１に記載の遊技機は、
遊技を行うことが可能な遊技機であって、
前記遊技機に配設される可動体と、
前記可動体を移動案内する案内手段と、
前記可動体を前記案内手段の案内方向に駆動する駆動手段と、
を備え、
前記案内手段は、互いに平行に設けられる複数の案内部を有し、
前記可動体は、前記複数の案内部それぞれに案内される複数の被案内部を有し、
前記複数の被案内部のうち少なくとも一の被案内部は、前記複数の案内部による案内方向に対し直交する方向に相対移動可能に案内される
ことを特徴としている。
この特徴によれば、移動体をガタツキなくスムーズに移動させることができる。
本発明の手段１の遊技機は、
遊技用価値（パチンコ球）を用いて遊技を行うことが可能な遊技機（パチンコ遊技機１）であって、
前記遊技機の所定箇所（遊技領域７の上部）に配設される可動体（７０１）と、
前記可動体を一方（右側方）から支持する第１移動体（移動体７２３Ｒ）と、
前記可動体を前記一方に対向する他方（左側方）から支持する第２移動体（移動体７２３Ｌ）と、
前記第１移動体を移動案内する第１案内手段（ガイド部７２２Ｒ、ガイドシャフト７４０ａ，７４０ｂ）と、
前記第１案内手段に対して平行に設けられ、該第１案内手段による前記第１移動体の案内方向（上下方向）と同じ方向に前記第２移動体を移動案内する第２案内手段（ガイド部７２２Ｌ、ガイドシャフト７４０ａ，７４０ｂ）と、
前記第１移動体及び前記第２移動体双方を前記第１案内手段及び前記第２案内手段の案内方向（上下方向）に駆動する駆動手段（可動モータ８５、駆動ギヤ７２６、第１ギヤ７３２Ｌ，７３２Ｒ、第２ギヤ７３３Ｌ，７３３Ｒ、ベルト７３５Ｌ，７３５Ｒ、連動シャフト７３０）と、
前記第１移動体と前記可動体とを、前記第１案内手段及び前記第２案内手段の案内方向（上下方向）に対し直交する方向（左右方向）に相対移動可能に連結する第１連結手段（連結穴７６６、回動部材７６０、連結棒７６５Ｒ）と、
前記第２移動体と前記可動体とを、前記第１案内手段及び前記第２案内手段の案内方向（上下方向）に対し直交する方向（左右方向）に相対移動可能に連結する第２連結手段（連結穴７７０、連結棒７６５Ｌ）と、
を備え、
前記第２連結手段が許容する相対移動量は前記第１連結手段が許容する相対移動量よりも大きい（図２１参照）
ことを特徴としている。
この特徴によれば、可動体は、第１案内手段により移動案内される第１移動体及び第２案内手段により移動案内される第２移動体に連結して支持されていることにより、移動時における位置ずれやガタツキが生じにくい。また、可動体や第１移動体及び第２移動体の成型及び組み付け等の精度や、第１移動体と第２移動体との駆動タイミング等に誤差が生じた場合、可動体が第１移動体及び第２移動体に対して相対移動することにより誤差が吸収されるとともに、第１連結手段が許容する相対移動量が第２連結手段が許容する相対移動量よりも小さいことにより第１移動体に対する可動体の大きな位置ずれが防止されるため、可動体をガタツキなくスムーズに移動させることができる。
【手続補正４】
【補正対象書類名】明細書
【補正対象項目名】０００９
【補正方法】変更
【補正の内容】
【０００９】
また、本発明の手段２の遊技機は、
遊技用価値（パチンコ球）を用いて遊技を行うことが可能な遊技機（パチンコ遊技機１）であって、
前記遊技機の所定箇所に配設される可動体（上シャッタ５０１ａ，下シャッタ５０１ｂ）と、
前記可動体を一方（左側方）から支持する第１移動体（ギヤ部材５２０Ｌ、５２１Ｌ）と、
前記可動体を前記一方に対向する他方（右側方）から支持する第２移動体（ギヤ部材５２０Ｒ、５２１Ｒ）と、
前記第１移動体を移動案内する第１案内手段（ギヤ部材５２０Ｌ，５２０Ｒの案内片５７１が摺動自在に嵌合されるカバー部材５０５ａの案内凹溝）と、
前記第１案内手段に対して平行に設けられ、前記第１案内手段による前記第１移動体の案内方向と同じ方向（上下方向）に前記第２移動体を移動案内する第２案内手段（ギヤ部材５２１Ｌ，５２１Ｒの案内片５７２が摺動自在に嵌合される案内凹溝５７３）と、
前記第１移動体及び前記第２移動体双方を前記第１案内手段及び前記第２案内手段の案内方向に駆動する駆動手段（シャッタモータ８１Ｌ，８１Ｒ、駆動ギヤ８１ｂ、従動ギヤ５６７Ｌ，５６７Ｒ、従動ピニオンギヤ５６５Ｌ，５６５Ｒ、駆動用ラックギヤ５２６，５２６）と、
前記第１移動体と前記可動体とを、前記第１案内手段及び前記第２案内手段の案内方向に対し直交する方向（左右方向）に相対移動不能に連結する第１連結手段（取付ネジ５４１ａ，５４１ｂ、ネジ穴５４２ａ，５４２ｂ）と、
前記第２移動体と前記可動体とを、前記第１案内手段及び前記第２案内手段の案内方向に対し直交する方向（左右方向）に相対移動可能に連結する第２連結手段（凸部５５１ａ，５５１ｂ、長穴５５０ａ，５５０ｂ、取付ボルト５５３ａ，５５３ｂ、ネジ穴５５２ａ，５５２ｂ）と、
を備える
ことを特徴としている。
この特徴によれば、可動体は、第１案内手段により移動案内される第１移動体及び第２案内手段により移動案内される第２移動体に連結して支持されていることにより、移動時における位置ずれやガタツキが生じにくい。また、可動体や第１移動体及び第２移動体の成型及び組み付け等の精度や、第１移動体と第２移動体との駆動タイミング等に誤差が生じた場合、可動体が第１移動体に対して固定されていることで大きな位置ずれが防止されるとともに、第２移動体に対して相対移動することにより誤差が吸収されるため、可動体をガタツキなくスムーズに移動させることができる。
【手続補正５】
【補正対象書類名】明細書
【補正対象項目名】００１０
【補正方法】変更
【補正の内容】
【００１０】
尚、手段１、２における「遊技用価値」とは、いわゆるパチンコ球やメダル等の遊技媒体やクレジット等の価値を含む。
【手続補正６】
【補正対象書類名】明細書
【補正対象項目名】００１１
【補正方法】変更
【補正の内容】
【００１１】
本発明の手段３の遊技機は、手段１または２に記載の遊技機であって、
前記第２連結手段（連結穴７７０、連結棒７６５Ｌ）は、
前記第２移動体（移動体７２３Ｌ）または前記可動体（７０１）のうち一方（移動体７２３Ｌ）に設けられ、該第２移動体または該可動体の他方（可動体７０１）に向けて開口が形成される連結凹部（連結穴７７０）と、
前記第２移動体または前記可動体のうち他方（可動体７０１）に設けられ、前記相対移動方向（左右方向）に延設されて前記連結凹部に嵌合する連結凸部（連結棒７６５Ｌ）と、
から構成され、
前記連結凹部は、該連結凹部に嵌合された前記連結凸部を前記相対移動方向に移動可能な深さ寸法（Ｌ３０）を有する
ことを特徴としている。
この特徴によれば、連結凹部に連結凸部を摺動自在に嵌合するだけの簡単な構造で第２移動体に対して可動体を相対移動可能に連結できる。
【手続補正７】
【補正対象書類名】明細書
【補正対象項目名】００１２
【補正方法】変更
【補正の内容】
【００１２】
本発明の手段４の遊技機は、手段１または２に記載の遊技機であって、
前記第２連結手段（凸部５５１ａ，５５１ｂ、長穴５５０ａ，５５０ｂ、取付ボルト５５３ａ，５５３ｂ、ネジ穴５５２ａ，５５２ｂ）は、
前記第２移動体（ギヤ部材５２０Ｒ、５２１Ｒ）または前記可動体（上シャッタ５０１ａ，下シャッタ５０１ｂ）のうち一方に設けられ、前記相対移動方向（左右方向）及び前記第２案内手段の案内方向（上下方向）に対して直交する方向（前後方向）に向けて開口する連結開口部（長穴５５０ａ，５５０ｂ）と、
前記第２移動体または前記可動体のうち他方に設けられ、前記相対移動方向（左右方向）及び前記第２案内手段の案内方向（上下方向）に対して直交する方向（前後方向）に延設されて前記連結開口部に挿入される連結挿入部（凸部５５１ａ，５５１ｂ、取付ボルト５５３ａ，５５３ｂ、ネジ穴５５２ａ，５５２ｂ）と、
から構成され、
前記連結開口部は、該連結開口部に挿入された前記連結挿入部を前記相対移動方向に移動可能な幅寸法（Ｌ５０，Ｌ５２）を有する
ことを特徴としている。
この特徴によれば、連結挿入部を連結開口部に摺動自在に挿入するだけの簡単な構造で第２移動体に対して可動体を相対移動可能に連結できる。
【手続補正８】
【補正対象書類名】明細書
【補正対象項目名】００１３
【補正方法】変更
【補正の内容】
【００１３】
本発明の手段５の遊技機は、手段１〜４のいずれかに記載の遊技機であって、
前記駆動手段（可動モータ８５、駆動ギヤ７２６、第１ギヤ７３２Ｌ，７３２Ｒ、第２ギヤ７３３Ｌ，７３３Ｒ、ベルト７３５Ｌ，７３５Ｒ、連動シャフト７３０）は、
前記第１移動体（移動体７２３Ｒ）を駆動する駆動源（可動モータ８５）と、
前記駆動源の駆動力を前記可動体を介さずに前記第２移動体（移動体７２３Ｌ）に伝達して前記第１移動体の駆動に応じて該第２移動体を連動させる連動機構（駆動ギヤ７２６、第１ギヤ７３２Ｌ，７３２Ｒ、第２ギヤ７３３Ｌ、ベルト７３５Ｌ、連動シャフト７３０）と、
を含む
ことを特徴としている。
この特徴によれば、駆動手段の駆動力が可動体に対して第１連結手段にて連結された第１移動体から無駄なく伝達されるため、可動体を確実に移動させることができる。
【手続補正９】
【補正対象書類名】明細書
【補正対象項目名】００１４
【補正方法】変更
【補正の内容】
【００１４】
本発明の手段６の遊技機は、手段１〜５のいずれかに記載の遊技機であって、
画像を表示可能な表示手段（演出表示装置９）と、
前記表示手段の表示制御を行う表示制御手段（演出制御用マイクロコンピュータ）と、
前記駆動手段（可動モータ８５／シャッタモータ８１Ｌ，８１Ｒ）の駆動制御を行う駆動制御手段（演出制御用マイクロコンピュータ）と、
を備え、
前記可動体（７０１／上シャッタ５０１ａ，下シャッタ５０１ｂ）は、前記表示手段の前面側に配置される前面位置と該表示手段の側方に退避する退避位置との間で移動可能に設けられ、
前記表示制御手段は、前記駆動制御手段が前記可動体を前記前面位置に配置させる制御を行うときに、前記前面位置に位置する前記可動体に重畳する位置に該可動体の画像を表示する制御を行う（図２３等参照）
ことを特徴としている。
この特徴によれば、駆動制御手段が可動体を前面位置に配置させる制御を行う際に、該可動体が何らかの要因で動かなくなってしまった場合でも、表示手段により可動体の画像が表示されることにより遊技者に違和感を与えることを防止できる。
【手続補正１０】
【補正対象書類名】明細書
【補正対象項目名】００１５
【補正方法】変更
【補正の内容】
【００１５】
本発明の手段７の遊技機は、手段１〜６のいずれかに記載の遊技機であって、
画像を表示可能な表示手段（演出表示装置９）を備え、
前記可動体（上シャッタ５０１ａ，下シャッタ５０１ｂ）は、前記表示手段の前面側に配置される前面位置（図３６（ｂ）参照）と該表示手段の上下側に退避する退避位置（図３６（ａ）参照）との間で移動可能に設けられる上側可動体（上シャッタ５０１ａ）及び下側可動体（下シャッタ５０１ｂ）を含み、
前記第１移動体及び前記第２移動体は、前記上側可動体を支持する上側移動体（ギヤ部材５２０Ｌ，５２０Ｒ）及び前記下側可動体を支持する下側移動体（ギヤ部材５２１Ｌ，５２１Ｒ）を含み、
前記上側移動体及び前記下側移動体それぞれに設けられるラックギヤ（５２５，５２８）と、
前記上側移動体及び前記下側移動体それぞれのラックギヤに噛合され、前記駆動手段としての可動モータ（シャッタモータ８１Ｌ，８１Ｒ）の駆動により、前記上側可動体及び前記下側可動体双方を前記退避位置から前記前面位置または前記前面位置から前記退避位置に向けて連動させるための連動ギヤ（連動用ピニオンギヤ５６０Ｌ，５６０Ｒ）と、
を備え、
前記下側可動体の重量を前記上側可動体よりも重くした
ことを特徴としている。
この特徴によれば、上側可動体よりも下側可動体が自重により下降しようとする力の方が大きいため、遊技機の搬送中等において遊技機に振動が生じた場合に、下側可動体が自重により退避位置まで下降するとともに、該下側可動体の退避動作に連動して上側可動体が退避位置まで上昇する方向に作用が働くことで、上下のシャッタは退避位置に維持されやすくなる。よって、遊技機を設置する際の作業負荷を軽減することができる。
【手続補正１１】
【補正対象書類名】明細書
【補正対象項目名】００１６
【補正方法】変更
【補正の内容】
【００１６】
本発明の手段８の遊技機は、手段１〜７のいずれかに記載の遊技機であって、
前記第１移動案内手段（ガイド部７２２Ｒ、ガイドシャフト７４０ａ，７４０ｂ）及び前記第２移動案内手段（ガイド部７２２Ｌ、ガイドシャフト７４０ａ，７４０ｂ）は、それぞれ互いに平行に設けられる一対の案内シャフト（ガイドシャフト７４０ａ，７４０ｂ）により構成され、
前記第１移動体及び前記第２移動体は、前記一対の案内シャフトそれぞれに対応して設けられ、該一対の案内シャフトを挿通可能な大きさを有する一対の挿通孔（挿通孔７５０ａ，７５０ｂ）を有し、
前記一対の挿通孔のうち一方（挿通孔７５０ｂ）の幅寸法（Ｌ４２）と前記案内シャフトの幅寸法（Ｌ４０）との寸法差は、他方（挿通孔７５０ａ）の幅寸法（Ｌ４１）と前記案内シャフトの幅寸法（Ｌ４０）との寸法差よりも大きい（Ｌ４２−Ｌ４０＞Ｌ４１−Ｌ４０）
ことを特徴としている。
この特徴によれば、第１移動体及び第２移動体が一対の案内シャフトに対して相対回転不能に支持されることで、可動体の移動時の安定性が向上するとともに、一対の挿通孔のうち一方の幅寸法と案内シャフトの幅寸法との寸法差が他方よりも大きいことで、案内シャフト及び移動体の成型及び組み付け等の精度や、第１移動体と第２移動体との駆動タイミング等に誤差が生じた場合においてその誤差が吸収されるため、第１移動体及び第２移動体をガタツキなくスムーズに移動させることができる。